(57)【要約】【課題】時間の経過に伴う木材からなる一方側被接合部材の収縮変形によって両被接合部材の接合部に緩みが生じるのを効果的に抑止する。【解決手段】少なくとも前端側の外周面にネジ部５ａが形成された接合用部材５が、木材からなる一方側被接合部材１に螺着されているとともに、他方側被接合部材２が、一方側被接合部材１と直接的又は間接的に面接触する配置で接合用部材５における一方側被接合部材１との螺着部位よりも後端側の部位に固定手段６で固定されている。【選択図】図３
2010185190.tif 000002
【特許請求の範囲】
【請求項１】
少なくとも前端側の外周面にネジ部が形成された接合用部材が、木材からなる一方側被接合部材に螺着されているとともに、
他方側被接合部材が、前記一方側被接合部材と直接的又は間接的に面接触する配置で前記接合用部材における一方側被接合部材との螺着部位よりも後端側の部位に固定手段で固定されている部材接合構造。
【請求項２】
前記固定手段が、前記接合用部材の前後中間部に備えられた受け部と、前記接合用部材における前記受け部よりも後端側に備えられ、且つ、受け部との間で接合用部材に対する前後方向での移動を接当規制する状態で前記他方側被接合部材を挟着可能な押さえ部とから構成されている請求項１記載の部材接合構造。
【請求項３】
前記押さえ部と前記受け部の一方又は両方が、前記接合用部材の外周面に形成されたネジ部と螺合可能なナットから構成されている請求項２記載の部材接合構造。
【請求項４】
前記受け部が、前記接合用部材の前後中間部に一体形成された受け片部から構成されている請求項２記載の部材接合構造。
【請求項５】
前記ネジ部が、木材に対する螺入操作が可能で且つ前記接合用部材の前端から後端部に亘って形成された木ネジ部から構成されているとともに、
前記押さえ部と前記受け部の一方又は両方が、前記木ネジ部に螺合可能な木ネジ用ナットから構成されている請求項２記載の部材接合構造。
【請求項６】
前記一方側被接合部材が、木柱から構成されているとともに、
前記他方側被接合部材が、前記木柱と接合される木柱用被接合片部と、木梁と接合される木梁用被接合片部とを備える継手部材から構成され、
前記木柱用被接合片部と前記木柱との接合、及び、前記木梁用被接合片部と前記木梁との接合の一方又は両方に、請求項１〜５のいずれか１項に記載の部材接合構造が採用されている木柱と木梁との接合構造。
【請求項７】
前記木柱用被接合片部が前記木柱の周側面部における前記木梁に対向する側の面部に接合され、且つ、前記木梁用被接合片部が木梁の周側面部に接合されるように、木柱用被接合片部と木梁用被接合片部とが直交又は略直交する状態で前記継手部材に備えられ、
前記木柱用被接合片部と前記木柱との接合には、前記部材接合構造が採用されているとともに、
前記木梁用被接合片部と前記木梁との接合には、木ネジのネジ頭部で前記木梁用被接合片部を木梁に押し付けるように、木梁用被接合片部に形成した挿通孔を通して木ネジのネジ部を木梁に螺入する接合構造が採用されている請求項６記載の木柱と木梁との接合構造。
【請求項８】
木材からなる一方側被接合部材に螺着可能なネジ部が少なくとも前端側の外周面に形成された接合用部材と、
前記接合用部材における前記一方側被接合部材との螺着部位よりも後端側の部位と他方側被接合部材とを両被接合部材の対向面どうしが直接的又は間接的に接触する配置で固定可能な固定手段とが備えられている接合具。
【発明の詳細な説明】
【技術分野】
【０００１】
本発明は、木材からなる一方側被接合部材と種々の素材からなる他方側被接合部材とを接合する技術に関する。
【背景技術】
【０００２】
従来、この種の技術としては、木柱（木材からなる一方側被接合部材の一例）と、木柱に接合される木柱用被接合片部と木梁に接合される木梁用接合片部とを備える金属製の継手部材（前記他方側被接合部材の一例）との接合に関して、以下（１）、（２）に記載のものが知られている。
【０００３】
（１）前記木柱１の周側面部に貫通形成された挿通孔１ｂと前記継手部材の木柱用被接合片部２ａに貫通形成された挿通孔２ｄとにボルト７を挿通するとともに、そのボルト７の先端部に螺合させたナット８を締め付け操作することにより、ボルト７の頭部７ａとナット８とで木柱１と木柱用被接合片部２ａとを挟み付ける状態で、木柱１と木柱用被接合片部２ａとが接合されているもの（図１１（ａ）を参照）。
【０００４】
（２）前記継手部材の木柱用被接合片部２ａに貫通形成された挿通孔２ｄを通して、頭付きの木ネジ４の頭部４ａで木柱用被接合片部２ａを前記木柱１に押し付けるように、木ネジ４のネジ部４ｂを木柱１に螺入することにより、木柱１と木柱用被接合片部２ａとが接合されているもの（図１２（ａ）参照）。
【発明の概要】
【発明が解決しようとする課題】
【０００５】
ところが、木材は、時間の経過に伴う含水率の低下によってどうしても多少の収縮変形が生じることから、前記（１）の技術では、図１１（ｂ）に示すように、時間の経過に伴う一方側被接合部材の収縮変形長さＳの範囲で両接合部材が遠近方向に遊動可能な状態に両被接合部材の接合部が緩くなって、そのことで、木柱と木梁との架構の剛性が不十分になる問題がある。
【０００６】
また、前記（２）の技術でも、図１２（ｂ）に示すように、時間の経過に伴う一方側被接合部材の収縮変形長さＳの範囲で他方側被接合部材が一方側被接合部材に対する遠近方向に遊動可能な状態に両被接合部材の接合が緩くなって、やはり、木柱と木梁との架構の剛性が不十分になる問題がある。
【０００７】
そして、上記の問題は、例えば、木構造の架構にあっては筋交いを不存とする形態での開口部の大型化を困難にする等、木材の使用用途が制限される重大な要因になっていた。
【０００８】
本発明は、上述の如き課題に鑑みてなされたものであって、その主たる課題は、時間の経過に伴う木材からなる一方側被接合部材の収縮変形によって両被接合部材の接合部に緩みが生じるのを効果的に抑止し得る部材接合構造、及び、木柱と木梁との接合構造、並びに、接合具を提供する点にある。
【課題を解決するための手段】
【０００９】
本発明の第１特徴構成は、部材接合構造に係り、その特徴は、
少なくとも前端側の外周面にネジ部が形成された接合用部材が、木材からなる一方側被接合部材に螺着されているとともに、
他方側被接合部材が、前記一方側被接合部材と直接的又は間接的に面接触する配置で前記接合用部材における一方側被接合部材との螺着部位よりも後端側の部位に固定手段で固定されている点にある。
【００１０】
上記構成によれば、両被接合部材の各々を前記接合用部材の所定部位に別個に固定する形態で両被接合部材を接合するから、木材からなる一方側被接合部材に収縮変形が生じても、接合用部材を介して両被接合部材を相対移動が不能な緩みのない状態（即ち、剛な接合状態）に保つことができる。
【００１１】
しかも、一方側被接合部材と接合用部材の前端側との螺着部位は、一方側被接合部材の乾燥収縮に伴う締め付け圧力の増大で一層強固になるから、一方側被接合部材の収縮変形に伴い両被接合部材が接触状態から非接触状態になることによる剛性の低下を効率的に補うことができる。
【００１２】
従って、時間の経過に伴い両被接合部材の接合部に緩みが生じる不具合を効果的に抑止することができる。
【００１３】
本構成の実施において、前記固定手段は、前記接合用部材に取り付け可能な別部材等から構成されたものに限らず、溶接部や接着剤による接着部等から構成されていてもよい。
【００１４】
なお、前記木材とは、無垢材等の純粋な木素材のみからなるものに限らず、木素材を含むもの、或いは、集成材や単板積層材、合板、パーティクルボード、ファイバーボード等の種々の木質素材からなるもの等の総称を云う。
【００１５】
本発明の第２特徴構成は、第１特徴構成の実施に好適な構成であり、その特徴は、
前記固定手段が、前記接合用部材の前後中間部に備えられた受け部と、前記接合用部材における前記受け部よりも後端側に備えられ、且つ、受け部との間で接合用部材に対する前後方向での移動を接当規制する状態で前記他方側被接合部材を挟着可能な押さえ部とから構成されている点にある。
【００１６】
上記構成によれば、前記受け部と前記押さえ部とによって、接合用部材に対する前後方向での移動が不能な状態で他方側被接合部材を接合用部材に効果的且つ効率的に固定することができる。
【００１７】
本発明の第３特徴構成は、第２特徴構成の実施に好適な構成であり、その特徴は、
前記押さえ部と前記受け部の一方又は両方が、前記接合用部材の外周面に形成されたネジ部と螺合可能なナットから構成されている点にある。
【００１８】
上記構成によれば、前記接合用部材に対する前後方向において前記押さえ部と前記受け部の一方又は両方の位置調整が可能になるから、その位置調整によって一方側被接合部材や他方側被接合部材の厚みの変化に応じた適切な接合状態を現出することができる。
【００１９】
本発明の第４特徴構成は、第２特徴構成の実施に好適な構成であり、その特徴は、
前記受け部が、前記接合用部材の前後中間部に一体形成された受け片部から構成されている点にある。
【００２０】
上記構成によれば、例えば、前記受け片部が接合用部材の前後方向に沿って位置移動可能な別部材から構成されている場合に比べ、他方側被接合部材の固定作業の能率化を図ることができるとともに、部材点数を削減することができて、構造の簡素化も図ることができる。
【００２１】
また、前記受け片部と前記一方側被接合部材との接当によって一方側被接合部材とネジ部との螺着長さを所定長さに規制することができるから、一方側被接合部材とネジ部との螺着長さ螺着長さを大きく採りすぎることによって他方側被接合部材の固定が不十分になる不具合も防止することができる。
【００２２】
本発明の第５特徴構成は、第２特徴構成の実施に好適な構成であり、その特徴は、
前記ネジ部が、木材に対する螺入操作が可能で且つ前記接合用部材の前端から後端部に亘って形成された木ネジ部から構成されているとともに、
前記押さえ部と前記受け部の一方又は両方が、前記木ネジ部に螺合可能な木ネジ用ナットから構成されている点にある。
【００２３】
上記構成によれば、前記ネジ部が木材に対する螺入操作が可能で且つ前記接合用部材の前端から後端部に亘って形成された木ネジ部から構成されているから、前記ネジ部が前記一方側被接合部材に埋め込み固定されたナットに螺合するボルトネジ部から構成する場合に比べ、構造の簡素化と構築コストの低廉化を図ることができる。
【００２４】
また、前記押さえ部と前記受け部の一方又は両方が木ネジ用ナットから構成されているから、市販のボルトネジ用のナットと螺合するボルトネジ部を接合用部材の一部に別途形成する場合に比べて構造の簡素化を図ることができる。
【００２５】
本発明の第６特徴構成は、木柱と木梁との接合構造に係り、その特徴は、
前記一方側被接合部材が、木柱から構成されているとともに、
前記他方側被接合部材が、前記木柱と接合される木柱用被接合片部と、木梁と接合される木梁用被接合片部とを備える継手部材から構成され、
前記木柱用被接合片部と前記木柱との接合、及び、前記木梁用被接合片部と前記木梁との接合の一方又は両方に、第１〜第５特徴構成のいずれかに記載の部材接合構造が採用されている点にある。
【００２６】
上記構成によれば、前述した部材接合構造によって木構造の架構の剛性を効果的且つ効率的に高めることができ、これにより、木構造の設計の自由度を大幅に高めることができる。
【００２７】
本発明の第７特徴構成は、第６特徴構成の実施に好適な構成であり、その特徴は、
前記木柱用被接合片部が前記木柱の周側面部における前記木梁に対向する側の面部に接合され、且つ、前記木梁用被接合片部が木梁の周側面部に接合されるように、木柱用被接合片部と木梁用被接合片部とが直交又は略直交する状態で前記継手部材に備えられ、
前記木柱用被接合片部と前記木柱との接合には、前記部材接合構造が採用されているとともに、
前記木梁用被接合片部と前記木梁との接合には、木ネジのネジ頭部で前記木梁用被接合片部を木梁に押し付けるように、木梁用被接合片部に形成した挿通孔を通して木ネジのネジ部を木梁に螺入する接合構造が採用されている点にある。
【００２８】
つまり、前記木柱と前記木柱用被接合片部との接合部では、前記接合用部材の前後方向（つまり、ネジ部の軸心方向）に沿って大きな荷重が作用するために高い接合強度を要するが、前記木梁と前記木梁用被接合片部との接合部では、接合用部材の左右幅方向に沿って大きな荷重が作用することからそれほど高い接合強度を要しない。
【００２９】
このことから、木柱用被接合片部と木柱との接合には前記部材接合構造が採用され、且つ、木梁用被接合片部と木梁との接合には木ネジによる接合構造が採用されている上記構成によれば、剛性の高い木構造の架構を一層効率的に構成することができる。
【００３０】
本発明の第８特徴構成は、接合具に係り、その特徴は、
木材からなる一方側被接合部材に螺着可能なネジ部が少なくとも前端側の外周面に形成された接合用部材と、
前記接合用部材における一方側被接合部材との螺着部位よりも後端側の部位と他方側被接合部材とを両被接合部材の対向面どうしが直接的又は間接的に接触する配置で固定可能な固定手段とが備えられている点にある。
【００３１】
上記構成によれば、時間の経過に伴い両被接合部材の接合に緩みが生じる不具合を効果的に抑止し得る前述の部材接合構造を容易に構成することができる。
【図面の簡単な説明】
【００３２】
【図１】第１実施形態における木構造の架構の一部を示す説明断面図
【図２】第１実施形態における要部の分解斜視図
【図３】第１実施形態における部材接合構造の説明断面図
【図４】第１実施形態における接合具の分解図
【図５】第１実施形態における部材接合構造の説明断面図
【図６】第２実施形態における部材接合構造の説明断面図
【図７】第２実施形態における接合具の分解図
【図８】第３実施形態における接合具の分解図
【図９】その他の実施形態における部材接合構造の説明断面図
【図１０】その他の実施形態における部材接合構造の説明断面図
【図１１】従来の部材接合構造の説明断面図
【図１２】従来の部材接合構造の説明断面図
【発明を実施するための形態】
【００３３】
［第１実施形態］
図１は、木構造の架構の一部を示し、木柱１（木材からなる一方側被接合部材の一例）の上下中間部分１Ａ及び上方部分１Ｂの夫々には、金属製の継手部材２（他方側被接合部材の一例）を介して木梁３が接合されている。
【００３４】
前記継手部材２は、側面視略横向きＴ字状の基材を有する第１継手部材２Ａと、側面視略横向きＬ字状の基材を有する第２継手部材２Ｂの２種がある。木柱１の上下中間部分１Ａと木梁３との接合には、一対の第１継手部材２Ａが用いられている。一方、木柱１の上方部分１Ｂと木梁３との接合には、第１、第２継手部材２Ａ、２Ｂが各１個づつ用いられている。
【００３５】
図１、図２に示すように、第１、第２継手部材２Ａ、２Ｂの各々には、木柱１に接合される木柱用被接合片部２ａと木梁３に接合される木梁用被接合片部２ｂとが直交する状態で備えられている。なお、前記木柱用被接合片部２ａはＨ型鋼のフランジ部から構成され、前記木梁用被接合片部２ｂはＨ型鋼のウェブ部から構成されている。
【００３６】
そして、木柱１と各木柱用被接合片部２ａとは、木柱用被接合片部２ａに貫通形成した複数の挿通孔２ｄを通して後述する接合具Ｔによって接合されているとともに、木梁３と各木梁用被接合片部２ｂとは、木梁用被接合片部２ｂに貫通形成した複数の挿通孔２ｅを通して頭付きの木ネジ４（接合手段の一例）によって接合されている。
【００３７】
図２〜図４に示すように、前記接合具Ｔは、木柱１に螺着可能なネジ部５ａが少なくとも前端側の外周面に形成された金属製の接合用部材５と、木柱１とは別個に構成され、且つ、接合用部材５における木柱１との螺着部位よりも後端側の部位と木柱用被接合片部２ａとを、木柱１と木柱用被接合片部２ａの対向面どうしが直接的又は間接的に接触する配置で固定可能な固定部材６（固定手段の一例）とから構成されている。
【００３８】
前記ネジ部５ａは、木材に対する螺入操作が可能で且つ接合用部材５の前端から後端（後端部の一例）に亘って形成されたスクリューネジ形状の木ネジ部から構成されている。つまり、本例では、ネジ部５ａを有する接合用部材５が頭無しの木ネジから構成されている。また、前記接合用部材５の後端面部には、操作具で木材に対する螺入操作を行うための角筒状の被操作部５ｂが突出形成されている。
【００３９】
前記固定部材６は、接合用部材５の木ネジ部５ａと螺合可能な木ネジ用の受けナット６ａ（受け部の一例）と押さえナット６ｂ（押さえ部の一例）とから構成されており、両ナット６ａ、６ｂの間において接合用部材５に対する前後方向での移動を接当規制する状態で木柱用被接合片部２ａを挟着可能に構成されている。
【００４０】
そして、前記接合用部材５の前端部が木柱１に螺着されているとともに、接合用部材の前後中間部に螺合させた受けナット６ａを木柱１に形成された凹部１ａ（具体的には、受けナット６ａの高さ寸法に対応する深さ寸法の凹部）に位置させ、且つ、木柱用被接合片部２ａの挿通孔２ｄを通して接合用部材５における受けナット６ａと押さえナット６ｂとの間に木柱用被接合片部２ａを介在させた状態で、接合用部材５の後端部に螺合させた押さえナット６ｂを締め付け操作することにより、木柱用被接合片部２ａと木柱１とが直接的に面接触する配置で木柱用被接合片部２ａが接合用部材５の後端部に挟着固定されている。
【００４１】
つまり、木柱１と木柱用被接合片部２ａとの接合部は、木柱１と木柱用被接合片部２ａの各々を接合用部材５の所定部位に別個に固定する構造を採ることによって、図５に示すように、時間の経過に伴い木柱１が長さＳ分だけ収縮変形した場合でも、接合用部材５を介する形態で木柱１と木柱用被接合片部２ａとが相対移動不能な緩みのない状態（つまり、剛な接合状態）に保つことができるように構成されている。
【００４２】
なお、前記木梁３と前記木梁用被接合片部２ｂとの接合部は、木柱１と木柱用被接合片部２ａとの接合部ほどの接合強度を要しないことから、前記木ネジ４のネジ頭部４ａで木梁用被接合片部２ａを木梁３に押し付けるように、木梁用被接合片部２ｂの挿通孔２ｅを通して木ネジ４のネジ部４ｂを木梁３に螺入することにより固定されている。
【００４３】
受けナット６ａと木柱用被接合片部２ａとの間、木柱用被接合片部２ａと押さえナット６ｂとの間には、ワッシャー等の緩み止め手段を適宜に設けてもよい。
【００４４】
［第２実施形態］
本実施形態では、図６、図７に示すように、前記ネジ部５ａが、前記接合用部材５の前端部の外周面に形成されたスクリューネジ形状の木ネジ部から構成されているとともに、接合用部材５の後端部の外周面には、ボルトネジ部５ｄが形成され、更に、前記固定部材６が、前記ボルトネジ部５ｄに螺合可能なボルトネジ用の受けナット６ｄと押さえナット６ｅから構成されている。また、前記被操作部５ｂが接合用部材５の後端面部に窪み形成された六角穴から構成されている。
【００４５】
尚、その他の構成は、第１実施形態で説明した構成と同様であるから、同様の構成箇所には、第１実施形態と同一の番号を付記してそれの説明は省略する。
【００４６】
［第３実施形態］
本実施形態では、図８、図９に示すように、前記固定手段が、前記接合用部材５の前後中間部に一体形成された鍔状の受け片部６ｆと、前記ボルトネジ部５ｄに螺合可能なボルトネジ用の押さえナット６ｅから構成されている。
【００４７】
当該受け片部６ｆは、軸心方向視の輪郭形状が六角形状に形成されており、操作具による接合用部材５の木柱１への螺入操作を行うための被操作部５ｂに兼用構成されている。
【００４８】
また、受け片部６ｆは、接合用部材５の前後中間部において木柱１に対する設定螺入深さ分だけ接合用部材５の前端から後方に移動した位置に形成されており、木柱１に対する螺入操作中に木柱１と接当することで設定深さ以上まで螺入操作を継続することが自動的に防止されるように構成されている。
【００４９】
尚、その他の構成は、第２実施形態で説明した構成と同様であるから、同様の構成箇所には、第２実施形態と同一の番号を付記してそれの説明は省略する。
【００５０】
［その他の実施形態］
（１）前記固定手段は、前述の各実施形態で示した固定部材６に限らず、溶接部や接着剤等からなる接着部から構成されていてもよい。
【００５１】
また、例えば、前記固定手段が、前記接合用部材５の後端部に形成したボルトネジ部と、他方側被接合部材の挿通孔の内面に形成した雌ネジ部とから構成してもよい。このようにすれば、接合用部材５の螺入操作によって、一方側被接合部材に対する螺着と他方側被接合部材に対する螺着とを一挙に行うことができる。
【００５２】
（２）前述の各実施形態では、前記木柱１と前記木柱用被接合片部２ａとが直接的に面接触する状態で接合されている場合を例に示したが、例えば、図９に示すように、木柱１の受け部用凹部１ａの深さ寸法を受け部の高さ寸法よりも小さくする等により、木柱１と木柱用被接合片部２ａとが他部材（本例では、受け部）を介して間接的に面接触する状態で接合されていてもよい。
【００５３】
（３）前述の各実施形態では、木柱１の受け部用の前記凹部１ａの深さ寸法が、前記受け部の高さ寸法と同じに構成されている場合を例に示したが、受け部の高さ寸法よりも大に構成されていてもよい。
【００５４】
（４）前述の各実施形態では、木柱１に受け部用の凹部１ａが形成されている場合を例に示したが、図１０に示すように、木柱用被接合片部２ａに受け部用の凹部１ａが形成されていてもよい。
【００５５】
（５）前述の各実施形態では、前記ネジ部５ａが、木材に対する螺入操作が可能なスクリューネジ形状の木ネジ部から構成されている場合を例に示したが、木材に埋設状態で固定したナット等に螺合するボルトネジ部等から構成されていてもよい。
【００５６】
（６）前述の各実施形態では、木柱１と前記木柱用被接合片部２ａとの接合部に前記接合具Ｔが用いられている場合を例に示したが、前記木梁３と前記木梁用被接合片部２ｂとの接合部に接合部Ｔが用いられていてもよく、或いは、両接合部に接合具Ｔが用いられていてもよい。
【００５７】
（７）一方側被接合部材は、前述の各実施形態で示した木柱１や木梁３等の架構の構成部材に限らず、木製家具や木製工作物等の構成部材等であってもよい。
【００５８】
（８）他方側被接合部材も、前述の各実施形態で示した継手部材２等の架構の構成部材に限らず、木製家具や木製工作物等の構成部材等であってもよい。また、他方側被接合部材は、前述の各実施形態で示した金属素材からなるものに限らず、ＦＲＰ素材や木材や石材等の種々の素材からなるものであってもよい。
【符号の説明】
【００５９】
１          一方側被接合部材（木柱）
２          他方側被接合部材（継手部材）
２ａ        木柱用被接合片部
２ｂ        木梁用被接合片部
２ｅ        挿通孔
４          木ネジ
５          接合用部材
５ａ        ネジ部
６          固定手段
６ａ        受け部（受けナット）
６ｂ        押さえ部（押さえナット）
６ｆ        受け部（受け片部）
Ｔ          接合具
【図１】
2010185190.tif 000003
【図２】
2010185190.tif 000004
【図３】
2010185190.tif 000005
【図４】
2010185190.tif 000006
【図５】
2010185190.tif 000007
【図６】
2010185190.tif 000008
【図７】
2010185190.tif 000009
【図８】
2010185190.tif 000010
【図９】
2010185190.tif 000011
【図１０】
2010185190.tif 000012
【図１１】
2010185190.tif 000013
【図１２】
2010185190.tif 000014